(57)【要約】      （修正有）【課題】被処理物に対して処理を行って処理物を得る工程室が複数設けられた処理設備において、工場のレイアウトを容易に行うことができると共に、処理設備を建設した後に簡便に改造できるようにする。【解決手段】複数の工程室２１が平面的に配置された処理フロア１と、この処理フロア１の階下に設けられ、被処理物または処理物が内部に収納された搬送容器Ｃの搬送を行う物流フロア２と、を設けると共に、処理フロア１と物流フロア２との間において搬送容器Ｃの受け渡しを行う受け渡し口２２を工程室２１の床面に設けて、物流フロア２の搬送装置５，１２により受け渡し口２２を介して搬送容器Ｃを昇降させることによって、物流フロア２と工程室２１との間において搬送容器Ｃを受け渡す。【選択図】図４
2010143716.tif 000002
【特許請求の範囲】
【請求項１】
被処理物に対して処理を行って処理物を得る工程室が複数設けられ、被処理物または処理物を搬送容器に収納して工程室に搬送する処理設備において、
複数の工程室が平面的に配置された第１の階と、
この第１の階の階下に設けられ、前記搬送容器の搬送を行うための第２の階と、
複数の工程室の各床面に形成され、前記第１の階と前記第２の階との間において前記搬送容器の受け渡しを行うための受け渡し口と、
これら受け渡し口を介して前記工程室に対して搬送容器の受け渡しをするために前記第２の階に設けられ、水平に移動する走行車本体と、この走行車本体に設けられ、搬送容器を保持して昇降する受け渡し機構と、を有する搬送車と、を備えたことを特徴とする処理設備。
【請求項２】
前記複数の工程室のうちの第１の工程室と第２の工程室とは互いに隣接して配置され、
前記第１の工程室と前記第２の工程室との一方の工程室の床面には、前記第１の工程室及び前記第２の工程室で共有される受け渡し口が形成され、当該一方の工程室と他方の工程室との間の壁面には、前記受け渡し口及び前記一方の工程室を介して前記第２の階と前記第２の工程室との間において搬送容器の受け渡しを行うための搬入出口が形成されていることを特徴とする請求項１に記載の処理設備。
【請求項３】
前記搬送車の動作を制御する制御部を備えていることを特徴とする請求項１または２に記載の処理設備。
【請求項４】
前記第１の階及び前記第２の階からなる階層構造体は、複数積層されていることを特徴とする請求項１ないし３のいずれか一つに記載の処理設備。
【請求項５】
一の階層構造体の第２の階及び他の階層構造体の第２の階の壁面部には、これらの第２の階に対して搬送容器の搬入出を行うための搬送口が形成され、
前記搬送口を介してこれらの第２の階の前記搬送装置間において搬送容器の受け渡しを行う昇降装置を備えていることを特徴とする請求項４に記載の処理設備。
【請求項６】
前記工程室は、搬送容器から被処理物が投入される投入区域と、前記投入区域の下方側に位置し、投入された被処理物に対して処理を行う処理区域と、前記投入区域の壁面に形成され、搬送容器を当該投入区域内に搬入するための搬送口と、前記処理室の床面に形成された前記受け渡し口と、を備え、
前記昇降装置は、前記搬送口を介して搬送容器を前記投入区域に搬送できるように構成されていることを特徴とする請求項５に記載の処理設備。
【請求項７】
前記投入区域と前記処理区域とを備えた工程室は、横並びに複数設けられ、
前記昇降装置は、各搬送口に対して搬送容器を受け渡すことができるように、工程室の並びに沿って水平移動自在に設けられていることを特徴とする請求項６に記載の処理設備。
【請求項８】
前記工程室内の処理装置に関連する機械設備が配置された機械室が工程室の側壁を介して隣接して設けられていることを特徴とする請求項１ないし７のいずれか一つに記載の処理設備。
【請求項９】
前記工程室内に出入りする作業者用通路が前記工程室における前記機械室とは反対側の側壁を介して隣接して設けられていることを特徴とする請求項８に記載の処理設備。
【請求項１０】
前記作業者用通路の上方には、前記工程室内の雰囲気の吸排気を行う通気路が設けられていることを特徴とする請求項９に記載の処理設備。
【請求項１１】
前記作業者用通路における前記工程室とは反対側の側壁を介して隣接して見学者用通路が設けられていることを特徴とする請求項１０に記載の処理設備。
【請求項１２】
前記第２の階における前記受け渡し口の下方側は周囲の雰囲気から区画され、前記搬送車が出入りするための開閉扉が設けられていることを特徴とする請求項１ないし１１のいずれか一つに記載の処理設備。
【請求項１３】
前記第２の階には、前記搬送容器を載置するための載置領域が設けられており、前記搬送車は、前記載置領域に対して前記搬送容器の受け渡しを行うことを特徴とする請求項１ないし１２のいずれか一つに記載の処理設備。
【発明の詳細な説明】
【技術分野】
【０００１】
本発明は、被処理体に対して処理を行う工程室が複数設けられた処理設備に関する。
【背景技術】
【０００２】
例えば医薬品などの固形製剤を製造する工場では、被処理物である粉体原料やこの粉体原料から得られた中間生成物などに対して、例えば秤量、造粒、篩過、錠剤への成形（打錠）、検査及び包装などの処理を行う複数の工程室が設けられており、上記の被処理物は、例えばコンテナなどの搬送容器内に収納された状態で搬送されて、工程室内において例えば作業者により処理が行われる。これらの工程室内には、各処理を行うための処理装置が設けられており、この処理装置に搬送容器を設置する高さ位置は、例えば工程室の床面よりも例えば数ｍ程度高い位置に設定されている場合がある。
【０００３】
このような工場において、上記の工程室に対して搬送容器の搬送を行う搬送装置としては、例えば水平に敷設されたレール上を走行可能で且つ搬送容器を昇降自在に保持するスタッカークレーンと呼ばれている容器搬送機構が知られている。このスタッカークレーンを用いる場合には、図３０に示すように、例えばスタッカークレーン１００が走行する搬送室１０１の両側に工程室１０２を配置して、スタッカークレーン１００によりこの搬送室１０１の両側の工程室１０２に対して搬送口１０５を介して搬送容器が搬送される。この工程室１０２の側面における搬送室１０１とは反対側の面には、作業者が工程室１０２に出入りするための作業者用通路１０３が各々配置されており、これらの搬送室１０１や作業者用通路１０３は、コンタミの防止のために、内部が清浄な雰囲気に保たれている。
【０００４】
また、例えば作業者用通路１０３の側方位置における工程室１０２とは反対側の面には、例えば処理装置の部材や配電盤を設置したりするための機械室１０７が設けられており、この機械室１０７は、例えば一端側あるいは側面が工場の外壁に面するように配置されている。更に、この工場には、一般に例えば各工程室１０２内の大気の吸排気を行うための通気路であるダクトや、例えば各工程室１０２内を見学する見学者が行き来する見学者用通路（いずれも図示せず）が設けられており、従って工場内には工程室１０２、作業者用通路１０３、搬送室１０１、機械室１０７、ダクト及び見学者用通路が所定のレイアウトで配置されている。更にまた、工場内には、工程室１０２に代えて未内装（未使用）のエリア（部屋）１０４が設けられている場合があり、この未内装エリア１０４は、例えば工場を建設した後の増産などに対応するために、例えば内装工事、搬送口１０５の形成及び処理装置の搬入などの改造工事が行われて工程室１０２として使用されることになる。
【０００５】
このスタッカークレーン１００を用いることにより、上記のように作業者の流れ（作業者用通路１０３）と物（搬送容器）の流れ（搬送室１０１）とを隔てることができるので、スタッカークレーン１００と作業者との衝突のおそれがなく作業者やスタッカークレーン１００が安全に移動できるし、また搬送容器や搬送容器内の被処理物に対して作業者が干渉するおそれもなくなる。また、スタッカークレーン１００は搬送容器の昇降動作を行うことができるので、搬送容器が処理装置に保持される高さレベルに対して搬送容器の受け渡しを直接行うことができる。そのため、各工程室１０２には搬送容器を昇降させるための昇降装置が不要になる。
【０００６】
しかし、工場を建設した後に改変を行う場合例えば上記の未内装エリアの改造工事や工程室１０２内の処理装置を入れ替えるための工事を行う場合には、処理装置は工場の外壁に隣接している機械室１０７から、例えば当該機械室１０７と工程室１０２との間における作業者用通路１０３の壁面を取り壊して搬入されることになる。この時、既述のように作業者用通路１０３内が清浄雰囲気に保たれているので、この作業者用通路１０３の内部雰囲気が汚染されないように、例えば工事する領域１０６を作業者用通路１０３から区画する必要があるが、この工事領域１０６を区画する工事を行うのは手間がかかるし、またこの工事領域１０６により作業者用通路１０３が途中で遮られた場合には、当該工事領域１０６を介して作業者が行き来できなくなってしまう。
【０００７】
また、未内装エリア１０４に搬送口１０５を形成する場合には、搬送室１０１内が清浄雰囲気に保たれていることから、例えば搬送室１０１内を区画する必要があるので、この工事によりスタッカークレーン１００の移動が妨げられるおそれがある。そのため、この未内装エリア１０４に予め搬送口１０５を形成しておく必要があるが、工程室１０２（未内装エリア１０４）内に設けられる処理装置の種類によって搬送口１０５の高さ位置などが異なる場合があるので、予め搬送口１０５を形成しておくと、増設できる工程室１０２の種類が少なくなってしまう場合がある。
【０００８】
更にまた、スタッカークレーン１００を設けることによって、搬送室１０１がこの工場を２分するように配置されることになるので、当該搬送室１０１を介してダクトを設置できなくなる。また、例えば見学者通路についても各々の工程室１０２内を見学できるように配置するのは困難である。従って、スタッカークレーン１００を用いる場合には、工場のレイアウトに手間がかかってしまうし、また工場を建設した後の改変工事が困難になってしまう。また、スタッカークレーン１００が故障した場合には、このスタッカークレーン１００を修理あるいは交換するまでは、搬送室１０１の両側の工程室１０２に対する搬送が停止してしまう。
【０００９】
一方、搬送容器を搬送する搬送装置としては、例えばＡＧＶ（Ａｕｔｏ  Ｇｕｉｄｅｄ  Ｖｅｈｉｃｌｅ）と呼ばれる水平に移動する自動搬送装置などが知られているが、上記の課題を解決できるものではない。  
特許文献１には、粉体を機器４０に投入する粉粒体投入システムについて記載されているが、上記の課題については何ら検討されていない。
【００１０】
【特許文献１】特開２００７−３０９１４
【発明の開示】
【発明が解決しようとする課題】
【００１１】
本発明はこのような事情の下になされたものであり、その目的は、被処理物に対して処理を行って処理物を得る工程室が複数設けられ、被処理物または処理物を搬送容器に収納して工程室に搬送する処理設備において、工程室や機器の改変に容易に対応できる処理設備を提供することにある。
【課題を解決するための手段】
【００１２】
本発明の処理設備は、
被処理物に対して処理を行って処理物を得る工程室が複数設けられ、被処理物または処理物を搬送容器に収納して工程室に搬送する処理設備において、
複数の工程室が平面的に配置された第１の階と、
この第１の階の階下に設けられ、前記搬送容器の搬送を行うための第２の階と、
複数の工程室の各床面に形成され、前記第１の階と前記第２の階との間において前記搬送容器の受け渡しを行うための受け渡し口と、
これら受け渡し口を介して前記工程室に対して搬送容器の受け渡しをするために前記第２の階に設けられ、水平に移動する走行車本体と、この走行車本体に設けられ、搬送容器を保持して昇降する受け渡し機構と、を有する搬送車と、を備えたことを特徴とする。
【００１３】
前記複数の工程室のうちの第１の工程室と第２の工程室とは互いに隣接して配置され、
前記第１の工程室と前記第２の工程室との一方の工程室の床面には、前記第１の工程室及び前記第２の工程室で共有される受け渡し口が形成され、当該一方の工程室と他方の工程室との間の壁面には、前記受け渡し口及び前記一方の工程室を介して前記第２の階と前記第２の工程室との間において搬送容器の受け渡しを行うための搬入出口が形成されていることが好ましい。  
前記第１の階及び前記第２の階からなる階層構造体は、複数積層されていることが好ましい。  
前記処理設備は、前記搬送車の動作を制御する制御部を備えていることが好ましい。  
【００１４】
一の階層構造体の第２の階及び他の階層構造体の第２の階の壁面部には、これらの第２の階に対して搬送容器の搬入出を行うための搬送口が形成され、
前記搬送口を介してこれらの第２の階の前記搬送装置間において搬送容器の受け渡しを行う昇降装置を備えていることが好ましい。  
前記工程室は、搬送容器から被処理物が投入される投入区域と、前記投入区域の下方側に位置し、投入された被処理物に対して処理を行う処理区域と、前記投入区域の壁面に形成され、搬送容器を当該投入区域内に搬入するための搬送口と、前記処理室の床面に形成された前記受け渡し口と、を備え、
前記昇降装置は、前記搬送口を介して搬送容器を前記投入区域に搬送できるように構成されていても良い。
【００１５】
前記投入区域と前記処理区域とを備えた工程室は、横並びに複数設けられ、
前記昇降装置は、各搬送口に対して搬送容器を受け渡すことができるように、工程室の並びに沿って水平移動自在に設けられていることが好ましい。  
前記工程室内の処理装置に関連する機械設備が配置された機械室が工程室の側壁を介して隣接して設けられていることが好ましい。前記工程室内に出入りする作業者用通路が前記工程室における前記機械室とは反対側の側壁を介して隣接して設けられていることが好ましい。前記作業者用通路の上方には、前記工程室内の雰囲気の吸排気を行う通気路が設けられていることが好ましい。前記作業者用通路における前記工程室とは反対側の側壁を介して隣接して見学者用通路が設けられていることが好ましい。
【００１６】
前記第２の階における前記受け渡し口の下方側は周囲の雰囲気から区画され、前記搬送車が出入りするための開閉扉が設けられていることが好ましい。  
前記第２の階には、前記搬送容器を載置するための載置領域が設けられており、前記搬送車は、前記載置領域に対して前記搬送容器の受け渡しを行うことが好ましい。
【発明の効果】
【００１７】
本発明では、被処理物に対して処理を行って処理物を得る工程室が複数設けられ、被処理物または処理物を搬送容器に収納して工程室に搬送する処理設備において、複数の工程室が平面的に配置された第１の階（処理フロア）の階下に搬送容器の搬送を行う第２の階（物流フロア）を設けている。そして、第１の階の床面に階下に開口する受け渡し口を設けると共に、第２の階を走行する搬送車により受け渡し口を介して工程室に対して搬送容器の受け渡しを行っている。従って、処理フロアと物流フロアとが上下に区画されているため、処理フロアの工程室や他の領域例えば作業者用通路や機械室等の配置のレイアウトの自由度が大きくなる。また、搬送車との間で搬送容器を受け渡す受け渡し口について、工程室の平面方向（Ｘ−Ｙ方向）の設置位置の自由度が大きいので有利である。例えば将来の工程室の増設を見込んで予め搬送口を形成しておく場合においても、増設に柔軟に対応できる位置を選択でき、結果として工程室の増設が容易になる。そしてまた、スタッカークレーンを主搬送装置として用いていた従来のシステムと異なり、工程室の両側に夫々作業者用通路と機械室とを配置することができるので、工程室内を改変あるいはメンテナンスするときには、機械室と工程室との間で直接機器等の搬入出を行うことができるので便利である。
【発明を実施するための最良の形態】
【００１８】
本発明の処理設備について、例えば被処理物である原料粉末から処理物である医薬品の固形製剤を製造する医薬品製造工場を例に挙げて図１〜図１０を参照して説明する。先ず、この工場の要部について図１を参照して概略的に説明すると、この工場には、被処理物である原料粉末やこの原料粉末から得られた中間生成物及び製品である処理物に対して例えば保管、秤量、後述の搬送容器Ｃへの原料粉末の充填、造粒、篩過、錠剤への成形（打錠）、コーティング、検査及び包装などを行うための工程室２１が平面的に複数配置された第１の階をなす処理フロア１と、この処理フロア１の階下に設けられ、被処理物または処理物が内部に収納された搬送容器Ｃの搬送を行う第２の階である物流フロア２と、からなる階層構造体３が配置されている。工程室２１の床面１１には受け渡し口２２が形成されており、これらの処理フロア１と物流フロア２との間で搬送容器Ｃの受け渡しを行う時には、後述するように、搬送車５により受け渡し口２２を介して搬送されることになる。尚、前記「検査」及び「包装」もこの明細書では「処理」という用語に含まれるものとする。
【００１９】
この物流フロア２には、図４及び図５に示すように、例えば床面１１に付設された例えば磁気テープなどの搬送路６に沿って水平方向に移動自在に構成された例えばＡＧＦ（Ａｕｔｏ  Ｇｕｉｄｅｄ  Ｆｏｒｋｌｉｆｔ）などである搬送車５が複数台設けられており、この搬送車５は、走行車本体である車輪５ａと、搬送容器Ｃを昇降自在に保持する受け渡し機構であるフォーク５ｂと、を備えている。また、この搬送車５の下面には、搬送路６に沿って移動できるように当該搬送路６を検知する図示しない検知部が設けられている。搬送容器Ｃは例えば図７に示すように、下方に向かうにつれて縮径する概略箱型の容器であり、このフォーク５ｂにより縮径部が左右両側から支持されるように構成されている。上記のフォーク５ｂは、後述するように、搬送車５が水平移動する時には下方に縮退し、工程室２１との間において搬送容器Ｃを受け渡すときには上方に伸び出すように構成されている。
【００２０】
上記の搬送路６としては、例えば複数の受け渡し口２２の下方位置を楕円状に結ぶ本線（周回軌道）６ａと、この本線６ａから分岐する複数の分岐路６ｂと、が配置されている。また、この分岐路６ｂは、例えば搬送車５が故障した時やメンテナンスを受ける時に当該搬送車５を作業者が退避させる退避分岐路８ａと、この退避分岐路８ａに退避した搬送車５に代えて搬送を行う予備の搬送車５が待機する予備分岐路８ｂと、搬送車５が後述の受け渡し部材１５に臨む位置を走行できるように配置された受け渡し用分岐路８ｃと、から構成されている。そして、複数の搬送車５は、この工場に設けられた後述の制御部１０に指示により所定の搬送プログラムに従って、工程室２１に対して搬送容器Ｃの受け渡しを行うときには互いに干渉（衝突）しないように本線６ａに沿って例えば時計回りに移動し、故障した時やメンテナンスを受ける時あるいは後述のスタッカークレーン１２との間で搬送容器Ｃの受け渡しを行う時にはこの分岐路６ｂ（８ａ〜８ｃ）に沿って移動するように構成されている。
【００２１】
この図５中９は、床面１１における搬送車５の停止位置例えば受け渡し口２２の下方位置に付設されたマグネットなどのマーカーであり、搬送車５は下面に設けられた図示しないセンサーなどによりマーカー９の位置を読みとり、制御部１０の指示によりこのマーカー９の上方において停止して所定の受け渡し動作を行うこととなる。尚、この物流フロア２の床面には、受け渡し口２２の下方位置などにおいて搬送車５が１８０°反転できるように、例えば本線６ａから分岐して円状に伸びる図示しない反転用搬送路が設けられていても良い。尚、この搬送車５としては、例えば作業者がマニュアルで運転（操縦）するフォークリフトなどであっても良い。また、工場の補強のために、物流フロア２内には搬送車５の動作に干渉しない位置に床面１１と天井面とを接続する複数の柱部が設けられている。
【００２２】
また、この例においては、既述の図２〜図４に示すように、処理フロア１と物流フロア２とからなる階層構造体３が複数階層例えば２層積層されており、上下の階層の物流フロア２、２同士の間で搬送容器Ｃを搬送するための昇降装置であるスタッカークレーン１２が設けられている。このスタッカークレーン１２は、工場の端部例えば後述の打錠室２５に隣接する位置において複数階層の物流フロア２に亘って設けられた昇降室１３内に配置されている。この昇降室１３と物流フロア２との間の壁面には、図３に示すように、昇降室１３と物流フロア２との間において搬送容器Ｃの受け渡しを行うための搬送口１４、１４が各々開口しており、物流フロア２においてこの搬送口１４に臨む位置には、スタッカークレーン１２と搬送車５との間において搬送容器Ｃを受け渡すための受け渡し部材１５が設けられている。この受け渡し部材１５は、図８に示すように、例えば搬送容器Ｃの搬送方向（後述の搬送台４５の進退方向）に互いに離間して並ぶ２つのコ字型部材１５ａ、１５ａから構成されている。尚、図２においては、スタッカークレーン１２や搬送口１４の描画を省略している。また、図４においては便宜的にこのスタッカークレーン１２を描画している。
【００２３】
昇降室１３内の床面には、図５に示すように、工場の外壁に沿って水平に配置されたレール４１が設けられている。上記のスタッカークレーン１２は、図９に示すように、互いに間隔を開けて鉛直方向に伸びる２本の柱部４２、４２及びこの柱部４２、４２を上下から支持する基部４３、４３を備えている。この図９中４４及び４６は夫々リフト及び車輪であり、スタッカークレーン１２がレール４１上を走行すると共に、柱部４２、４２に沿って搬送容器Ｃを昇降できるように構成されている。このリフト４４上には、搬送容器Ｃを載置するための搬送台４５が設置されており、この搬送台４５は、上記のコ字型部材１５ａ、１５ａの離間寸法よりも狭く形成されると共に、階層構造体３（物流フロア２）に対して水平方向に進退自在に構成されている。
【００２４】
そして、このスタッカークレーン１２から物流フロア２に搬送容器Ｃを搬送する時には、例えばこの搬送台４５上に搬送容器Ｃを載置して、既述の搬送口１４を介してコ字型部材１５ａ、１５ａの上方位置にスタッカークレーン１２から当該搬送台４５を伸張させ、次いで搬送台４５がコ字型部材１５ａ、１５ａ間を下側に通過するようにリフト４４を下降させることにより、受け渡し部材１５上に搬送容器Ｃが載置されることになる。また、物流フロア２から搬送容器Ｃを受け取る時には、この順番と逆の順序でスタッカークレーン１２が動作することとなる。そして、既述の搬送車５がこの受け渡し部材１５から搬送容器Ｃを受け取る時には、搬送車５が受け渡し部材１５に臨む位置に移動すると共に、例えば搬送容器Ｃの下方側からあるいはこの搬送容器Ｃの縮径部の上端位置より僅かに下方側からフォーク５ｂを上昇させて搬送容器Ｃを持ち上げることになる。搬送車５から受け渡し部材１５に搬送容器Ｃを引き渡す時には、この搬送動作と逆の順番で搬送車５が動作する。
【００２５】
処理フロア１には、既述の図２、図４及び図６に示すように、複数の工程室２１が前後方向（図２中Ｙ方向）に一列に配置されており、またこの工程室２１の列が平行に互いに離間するように複数列例えば２列配置されている。この工程室２１の床面１１には、階下の物流フロア２の搬送車５との間において搬送容器Ｃの受け渡しを行うための受け渡し口２２が形成されている。  
この受け渡し口２２は、図６に示すように、各々の工程室２１毎に形成されている場合もあるし、また隣接する複数例えば２つの工程室２１において共有されている場合もある。受け渡し口２２が共有されている場合には、例えば受け渡し口２２の形成された工程室２１を第１の工程室２１ａ、受け渡し口２２の形成されていない工程室２１を第２の工程室２１ｂと呼ぶと、第１の工程室２１ａと第２の工程室２１ｂとの間の壁面には、搬送容器Ｃの受け渡しを行うための搬入出口２４が形成されている。また、この搬入出口２４は例えばドアなどの開閉機構２４ａにより開閉されるように構成されており、第２の工程室２１ｂに搬送容器Ｃを搬入する場合には、搬送容器Ｃは搬送車５により受け渡し口２２、第１の工程室２１ａ及び搬入出口２４を介して搬送されることになる。
【００２６】
また、この工程室２１内には、当該工程室２１において処理物に対して処理を行うための処理装置２７が設けられている。この処理装置２７は、既述の受け渡し口２２に近接して配置されており、また既述の第２の工程室２１ｂでは、搬入出口２４に近接する位置に設けられている。この処理装置２７は、例えばコーティングを行う工程室２１では例えば２．５ｍ角程度の大型のコーティング機となっている。そのため、この処理装置２７に搬送容器Ｃが設置される高さ位置は、この処理フロア１の床面１１から例えば２．５ｍ程度高い位置となっている場合があり、また処理の種類や処理装置２７により様々である。
【００２７】
また、例えば打錠処理を行う工程室２１、即ち図１０に示す打錠室２５は間仕切り２６によって投入区域２５ａと処理区域２５ｂとの上下２層に区画されている。投入区域２５ａには被処理物が収納された搬送容器Ｃを搬入するための受け渡し部２８が設けられており、処理区域２５ｂにはこの受け渡し部２８上の搬送容器Ｃから投入落下される被処理物に対して打錠処理を行うための処理装置（打錠機）２７が設けられている。この打錠室２５においては、例えば１ｔ程度の重量物である被処理物が収納された搬送容器Ｃが受け渡し部２８に載置されることとなる。この図１０中２７ｂは、処理装置２７において打錠処理が終了した処理物を取り出すための搬送部材であり、この搬送部材２７ｂにより処理装置２７から処理区域２５ｂに載置された搬送容器Ｃに対して処理物が搬送されることになる。尚、図２においては、この打錠室２５を簡略化して示している。
【００２８】
この打錠室２５は、既述のスタッカークレーン１２が配置された昇降室１３に隣接して設けられており、受け渡し部２８と昇降室１３との間の壁面には、この打錠室２５とスタッカークレーン１２との間において搬送容器Ｃの受け渡しを行うための搬送口２８ａが形成されている。この時、打錠室２５が複数設けられている場合には、これらの打錠室２５は昇降室１３に沿って上下に配置されている。  
受け渡し部２８は、既述のコ字型部材１５ａ、１５ａと同様に、スタッカークレーン１２の搬送台４５の幅寸法よりも広く且つ搬送容器Ｃの幅寸法よりも狭くなるように搬送台４５の進退方向に離間して配置された１対のコンベアなどからなり、搬送台４５の進退方向に水平に搬送容器Ｃを搬送できるように構成されている。そして、受け渡し部２８は、当該受け渡し部２８の載置面に対して搬送台４５が昇降することにより、スタッカークレーン１２との間において搬送容器Ｃの受け渡しを行い、またスタッカークレーン１２との間において搬送容器Ｃの受け渡しを行う受け渡し位置と、処理装置２７の上方位置と、の間において搬送容器Ｃを水平に搬送するように構成されている。
【００２９】
また、処理装置２７の上方位置における間仕切り２６には開口部２６ａが形成されており、処理装置２７に搬送容器Ｃから被処理物を投入するための管状の投入路２７ａが、この開口部２６ａを介して当該処理装置２７から上方に伸び出して投入区域２５ａにおいて開口している。この処理装置２７の側方位置には、処理装置２７において打錠処理が行われた処理物を収納するための搬送容器Ｃが載置されている。そして、この打錠室２５において打錠処理を行う場合には、先ず処理物を回収するための空の搬送容器Ｃが搬送車５により処理区域２５ｂ内に搬入される。次いで、例えば作業者により投入区域２５ａの搬送容器Ｃの下面に設けられた図示しない投入口に投入路２７ａの開口端を接続して、処理装置２７に向けて被処理物を投入する。この処理装置２７において打錠処理が行われた処理物は、既述の搬送部材２７ｂにより処理装置２７の側方の搬送容器Ｃ内に収納されて、搬送車５により物流フロア２へと搬出されることになる。また、受け渡し部２８において被処理物が取り出された（空になった）搬送容器Ｃは、例えばスタッカークレーン１２により図示しない倉庫へと搬出される。
【００３０】
また、工程室２１としては、例えば図６に未使用エリア３１として示すように、内壁面や床面に内装が施されていない領域（部屋）が設けられている場合がある。この未使用エリア３１は、工場を建設した後に、例えば医薬品を増産するために工程室２１を増設したい場合などに工程室２１として使用される領域であり、そのため工場を建設した時点では使用されていない領域である。この未使用エリア３１においては、受け渡し口２２が形成されておらず、隣接する工程室２１の受け渡し口２２を共用することになる。また、既述のように、処理装置２７の種類により搬送容器Ｃが設置される高さ位置（搬入出口２４の高さ位置）が異なることから、この未使用エリア３１には搬入出口２４が形成されておらず、工程室２１を増設する時に、当該工程室２１（未使用エリア３１）内に設けられる処理装置２７の種類などに応じて搬入出口２４が工事により形成されることになる。また、工程室２１を増設する時には、この搬入出口２４の工事と共に、内装工事や後述の処理装置２７を搬入する工事などが行われることになる。尚、予めドアなどにより気密に開閉される搬入出口２４を形成しておいても良い。
【００３１】
工程室２１の列の左側の側面及び右側の側面の一方側及び他方側には、各々機械室６１及びこの工程室２１内において作業を行う作業者が当該工程室２１内に出入りするための作業者用通路６２が当該工程室２１の列に沿うように設けられている。この例においては、図２及び図４に示すように、工場の外壁に沿うように処理フロア１の両側に機械室６１、６１が配置され、２つの工程室２１、２１の列に挟まれるように（内側に）作業者用通路６２、６２が設けられている。この機械室６１において工場の外部に面する壁面（外壁）には、既述の処理装置２７の搬入出を行うための図示しないドアが形成されている。作業者用通路６２の天井面は、工程室２１の天井面よりも所定の高さだけ低くなっている。
【００３２】
この機械室６１は、工程室２１内に処理装置２７に関連する部材例えば集塵機や空調機あるいは配電盤などの機械設備６１ａを設置するための領域であり、上記の工程室２１や物流フロア２、あるいは作業者用通路６２などよりも清浄度が低いレベルに設定されている。これらの工程室２１と機械室６１との間の壁面には、処理装置２７と上記の機械設備６１ａとを接続する配線や配管を引き回すための図示しない開口部が形成されている。また、この機械室６１は、後述するように、工場の外部と工程室２１との間において処理装置２７を例えば入れ替える場合に、工場の外壁（機械室６１の側面）に形成された図示しないドアから当該機械室６１を介して処理装置２７を搬送するための領域である。このように処理装置２７を入れ替える（交換する）例としては、例えば工程室２１内の古い処理装置２７を新しい処理装置２７に切り替える場合、あるいは当該工程室２１内における処理の種類が変更になる場合などがある。
【００３３】
この時、処理装置２７の入れ替えを行わない場合もあるし、また処理装置２７の大きさも処理の種類に応じて様々である。そのため、機械室６１と工程室２１との間において処理装置２７を搬入出する場合には、例えば工事を行うことにより、機械室６１と工程室２１との間の壁面にその都度開口部が形成されることになる。尚、この壁面に予め開口部を形成しておき、処理装置２７の搬送を行わない時には扉等で気密に塞ぐようにしても良い。また、この機械室６１は、工程室２１に面する壁面以外の３つの側面のうちのいずれかの側面が工場の外壁に接するように配置されていれば良い。尚、図６においては、既述の機械設備６１ａを模式的に１つだけ描画している。
【００３４】
そして、この処理フロア１には、これらの工程室２１、機械室６１及び作業者用通路６２からなる処理ステーション７が平行に複数列に亘って例えば２列に設けられており、作業者用通路６２の側面における工程室２１とは反対側の面には、例えば作業者用通路６２の側壁及び工程室２１の側壁に形成された図示しない窓を介して見学者が工程室２１内を見学するための見学者用通路６３が作業者用通路６２（工程室２１）に沿って配置されている。この見学者用通路６３の天井面は、作業者用通路６２の天井面と同じ程度の高さレベルに設定されている。この例では、見学者用通路６３を介して左右両側の作業者用通路６２、工程室２１及び機械室６１が左右対称となるように配置されており、従ってこの場合には、左右の２つの処理ステーション７において見学者用通路６３を兼用していることになる。尚、図４及び図６中２９は、作業者用通路６２から工程室２１内に作業者が出入りするためのドアである。また、これらの作業者用通路６２、物流フロア２及び工程室２１内は、コンタミの発生を抑えるために清浄な雰囲気に保たれている。
【００３５】
作業者用通路６２及び見学者用通路６３の上方には、工程室２１の側面の上部側に隣接するように、例えば天井面が工程室２１の天井面と同程度の高さレベルとなるように配置された通気路（ダクト）３５が設けられており、この通気路３５は、前後方向に並ぶ工程室２１に沿って長く形成されている。この通気路３５は、工程室２１の雰囲気を工場の外部に排気したり、あるいは工場の外部などから清浄な大気を吸引したりするための領域であり、各工程室２１から例えば工場の外部に伸びる図示しない給気路や排気路が引き回されている。
【００３６】
この工場は、図５に示すように、スタッカークレーン１２及び搬送車５やスタッカークレーン１２の搬送動作を制御する制御部１０を備えている。この制御部１０は、ＣＰＵ、メモリ及びプログラム格納部を備えており、被処理物に対して処理を行って処理物が得られるように、工場の各部（搬送車５やスタッカークレーン１２）に対して制御信号を出力するように構成されている。このプログラム格納部内に格納されるプログラムは、例えばハードディスク、コンパクトディスク、マグネットオプティカルディスクあるいはメモリーカードなどの図示しない記憶媒体から制御部１０にインストールされる。
【００３７】
次に、この工場の作用について図１１〜図２２を参照して説明する。先ず、例えば物流フロア２と同じ階層に設けられた図示しない倉庫から、搬送車５により例えば５００ｋｇ程度の重量の搬送容器Ｃを受け取る。そして、図１１（ａ）に示すように、この搬送容器Ｃ内の被処理物に対して処理が行われる工程室２１に向かって搬送車５が移動する。即ち、図１２に示すように、搬送車５が既述の搬送路６における軌道を検出しながら搬送路６（本線６ａ）に沿って例えば時計回りに移動する。次いで、搬送車５は工程室２１の受け渡し口２２の下方位置に設けられたマーカー９を検知すると停止して、所定の受け渡し動作を行う。具体的には、搬送車５は図１１（ｂ）に示すようにフォーク５ｂを上昇させて、受け渡し口２２を介して工程室２１内に搬送容器Ｃを搬入し、処理装置２７に搬送容器Ｃが設置される高さ位置よりも僅かに高い高さ位置において、搬送容器Ｃが例えば処理装置２７の上方に位置するように例えば後退する。そして、図１１（ｃ）に示すように、フォーク５ｂを下降させて例えば処理装置２７に搬送容器Ｃを受け渡す。
【００３８】
しかる後、搬送車５は図１３（ａ）に示すように、受け渡し口２２の下方位置まで前進し、同図（ｂ）に示すようにフォーク５ｂを物流フロア２内に縮退させる。この搬送車５は、次の搬送を行うために搬送路６に沿って例えば時計回りに移動していく。そして、作業者は作業者用通路６２からこの工程室２１内に入室すると共に、通気路３５を介して当該工程室２１内あるいは処理装置２７の内部の雰囲気を調整して、この処理装置２７を用いて搬送容器Ｃ内の被処理物に対して処理を行うことになる。その後、この工程室２１内において処理が行われた処理物は、例えば搬送容器Ｃ内に収納されて、搬入された順番と逆の順序で搬送車５により物流フロア２へと搬出されていくことになる。そして、この搬送容器Ｃは、搬送車５により図示しない倉庫あるいは次の処理を行うための工程室２１へと搬送路６に沿って例えば時計回りに搬送されていく。
【００３９】
この時、次の処理を行う工程室２１において先の処理が終わっていない場合には、例えば図１３（ｃ）に示すように、例えば受け渡し口２２の下方位置において既述の図示しない反転用搬送路に沿って搬送車５が移動して例えば１８０°反転し、搬送車５は工程室２１内における処理装置２７や作業者に干渉しない位置に搬送容器Ｃを載置して、別の搬送を行うために移動していき、その後当該工程室２１において先の処理が終わると、例えば作業者により、あるいは搬送車５により、この干渉しない位置に載置された搬送容器Ｃが処理装置２７に設置されることになる。
【００４０】
また、例えば受け渡し口２２を共有している工程室２１ｂでは、図１４（ａ）に示すように、この工程室２１ｂに隣接する工程室２１ａの受け渡し口２２から搬送車５のフォーク５ｂが上方に向かって伸び出し、次いで同図（ｂ）に示すように搬入出口２４を介して搬送容器Ｃが当該工程室２１ｂに搬入されて、この工程室２１ｂ内の処理装置２７に載置されることとなる。
【００４１】
そして、例えば次の処理を行う工程室２１が例えばこの物流フロア２の上層側の階層構造体３に配置されている場合には、図１５（ａ）及び図１６に示すように、搬送車５が受け渡し用分岐路８ｃに沿って受け渡し部材１５に向かって移動して、この受け渡し部材１５に搬送容器Ｃを載置する。スタッカークレーン１２は、この受け渡し部材１５に臨む位置に搬送台４５を移動させると共に、この受け渡し部材１５上の載置面の下方側に対して搬送台４５を伸び出して、搬送容器Ｃの下方側から搬送台４５を上昇させて搬送容器Ｃを受け取る。そして、搬送台４５を収縮させてリフト４４上に搬送容器Ｃを収納すると共に、上層側の階層構造体３における物流フロア２の受け渡し部材１５に臨む位置に搬送容器Ｃを上昇させる。次いで、図１５（ｂ）に示すように、スタッカークレーン１２は、受け渡し部材１５から搬送容器Ｃを受け取った順序と逆の順番で、この受け渡し部材１５を介して搬送車５に搬送車５を受け渡す。こうして下層側の物流フロア２（搬送車５）から上層側の物流フロア２に対して搬送容器Ｃが搬送され、続く処理が順次行われていくことになる。また、上層側の物流フロア２から下層側の物流フロア２に搬送容器Ｃが搬送される場合も、同様に搬送車５及びスタッカークレーン１２により搬送容器Ｃが受け渡されることになる。
【００４２】
また、既述の打錠処理を行う工程室２１（打錠室２５）に搬送容器Ｃを搬送する場合には、図１７（ａ）に示すように、投入区域２５ａの受け渡し部２８に対してスタッカークレーン１２により例えば重量が１ｔ程度の搬送容器Ｃを搬入する。この搬送容器Ｃは、受け渡し部２８により受け渡し位置から処理装置２７の上方位置に搬送されていく。また、例えば搬送車５は受け渡し口２２の下方位置において既述の図示しない反転用搬送路に沿って移動して１８０°反転して、受け渡し口２２から処理物を収納する搬送容器Ｃを処理区域２５ｂに搬入する。そして、作業者がこの打錠室２５内に設けられた図示しない階段を上って、投入区域２５ａの搬送容器Ｃの下面に投入路２７ａを接続し、この搬送容器Ｃから被処理物を処理装置２７に投入する。この被処理物は、処理装置２７において打錠処理が行われて、搬送部材２７ｂにより処理区域２５ｂの搬送容器Ｃ内に収納されていく。
【００４３】
打錠処理を所定の時間行うと、図１７（ｂ）に示すように、搬送車５により処理物が収納された搬送容器Ｃが打錠室２５から搬出されていき、例えば別の搬送車５により再度空の搬送容器Ｃが処理区域２５ｂに搬入されて、打錠処理が続けられていく。そして、例えば投入区域２５ａの搬送容器Ｃ内の被処理物がなくなるか少なくなるまで、搬送車５による処理区域２５ｂへの搬送容器Ｃの搬入出が行われる。その後、投入区域２５ａの搬送容器Ｃが空になったり被処理物が少なくなったりした場合には、スタッカークレーン１２により当該搬送容器Ｃが搬出されることになる。こうして打錠室２５では搬送車５及びスタッカークレーン１２により搬送容器Ｃが搬送されていく。これらの工程室２１における例えば処理装置２７や作業者の動作は、例えば見学者用通路６３を通行する見学者により見学（点検）される。そして、このように例えば複数の階層の工程室２１において被処理物に対して複数の処理を行うことにより、最終製品である医薬品が製造される。
【００４４】
次に、工程室２１内の処理装置２７を取り替える（入れ替える）場合について説明する。先ず、図１８（ａ）及び図１９（ａ）に示すように、工事により工程室２１内に発生する粉塵などが当該工程室２１から物流フロア２や作業者用通路６２あるいは他の工程室２１に出て行かないように、受け渡し口２２あるいは搬入出口２４を例えば板状の覆い部材６５により密閉すると共に、ドア２９を気密に閉じる。次いで、図１８（ｂ）に示すように、工事を行って機械室６１と工程室２１との間の壁面を取り壊す。この工事により粉塵などが発生するが、上記のようにこの工程室２１を気密に保っているので、粉塵はこの工程室２１から物流フロア２や作業者用通路６２あるいは当該工程室２１に隣接する工程室２１には出て行かない。
【００４５】
そして、図１８（ｃ）及び図１９（ｂ）に示すように、工程室２１から処理装置２７を機械室６１を介して工場の外部に搬出し、例えば新しい処理装置２７を当該工程室２１内に搬入する。この時、上記のように機械室６１が２階以上の高さの階層に配置されている場合には、処理装置２７は例えば工場の外部からクレーンなどを用いて搬送されることになる。その後、この工程室２１内の清掃及び工程室２１と機械室６１との間の壁面が形成されて（修復されて）、覆い部材６５を取り外して既述のように処理が再開されることになる。尚、これらの図１８及び図１９においては、１つの工程室２１のみを描画している。
【００４６】
また、既述の未使用エリア３１に対して新たに工程室２１を設置する場合には、図２０（ａ）及び図２１（ａ）に示すように、この未使用エリア３１と受け渡し口２２を共用する（隣接する）工程室２１において、同様に受け渡し口２２を覆い部材６５により気密に塞ぎ、図２０（ｂ）及び図２１（ｂ）に示すように、未使用エリア３１とこの工程室２１との間の壁面を工事により取り壊して搬入出口２４を形成する。この搬入出口２４の高さ位置は、例えば当該未使用エリア３１に設置される処理装置２７に応じて設定される。そして、例えばこの未使用エリア３１に対して内装工事を行ったり、また上記のように機械室６１との間の壁面を取り壊して新たに処理装置２７を搬入する工事を行ったりすることにより、この未使用エリア３１に対して新たな工程室２１が設けられることになる。この場合においても、工事を行っている時には粉塵などは未使用エリア３１及びこの未使用エリア３１と受け渡し口２２を共用する工程室２１から、物流フロア２や作業者用通路６２あるいは他の工程室２１には出て行かない。そして、同様に清掃や機械室６１との間の壁面を修復した後、この未使用エリア３１は工程室２１として使用されることになる。
【００４７】
そして、例えば搬送車５が故障した場合やメンテナンスを受ける場合には、図２２に示すように、例えば作業者により当該搬送車５を退避分岐路８ａに退避させ、予備分岐路８ｂにて待機する搬送車５を本線６ａに移動させて、退避分岐路８ａに退避した搬送車５に代えて搬送を受け持たせることになる。
【００４８】
上述の実施の形態によれば、複数の工程室２１が平面的に配置された処理フロア１と、この処理フロア１の階下に設けられ、搬送容器Ｃの搬送を行う物流フロア２と、を設けると共に、処理フロア１と物流フロア２との間において搬送容器Ｃの受け渡しを行う受け渡し口２２を工程室２１の床面に設けて、物流フロア２の搬送車５により受け渡し口２２を介して搬送容器Ｃを昇降させることによって、物流フロア２と工程室２１との間において搬送容器Ｃを受け渡すようにしている。このように、本発明では、従来から用いられていた工程室２１への側方側からの搬送容器Ｃの搬送という考え方に対して、階下の物流フロア２と階上の処理フロア１とにおいて搬送容器Ｃを受け渡すといった新規な考え方を採っている。そのため、処理フロア１には搬送容器Ｃの搬送を行う搬送路を設けなくて済むので、いわば物の導線である物流フロア２と人の導線である作業者用通路６２とを別個に配置しながら、処理フロア１の各部である工程室２１、機械室６１、作業者用通路６２及び見学者用通路６３の配置レイアウトの自由度が大きくなる。このため、工程室２１と機械室６１とを隣接させることができる。通常、機械室６１は工場の外壁に面していることから、工場を建設した後に工程室２１内の処理装置２７を入れ替える場合に、機械室６１を介して工場の外部と工程室２１との間で処理装置２７等の機器を運搬できるため、例えば作業者用通路６２を塞ぐ工事などを行うことなく、また他の工程室２１に影響を及ぼすことなく、当該工程室２１における処理を停止するだけで工事を行うことができる。この結果、処理装置２７を容易に且つ速やかに交換できるし、また例えば別途作業者用通路６２を引き回すなど、工事を想定したレイアウトを採る必要がないので、工場の設計を行いやすい利点もあるし、また工場の設置面積を抑えることができる。
【００４９】
更に、搬送車５により階下から階上へ搬送容器Ｃを受け渡していることから、隣接する工程室２１、２１間において受け渡し口２２を共用できるので、受け渡し口２２の設置数を抑えることができるし、また未使用エリア３１に対して工程室２１を増設する場合においても、この未使用エリア３１と受け渡し口２２を共用する工程室２１の処理を停止するだけで工事を行うことができるので、例えば医薬品の増産などにも容易に対応することができる。また、未使用エリア３１に対して工程室２１を増設する場合には、当該未使用エリア３１（工程室２１）に設置される処理装置２７に合わせて搬入出口２４の高さ位置を設定できるので、未使用エリア３１を様々な工程室２１に対応させることができる。  
従って、工場を建設した後に例えば医薬品の新しい製造方法や処理装置２７などの新技術が開発された場合でも、容易にこれらの新技術を工場に導入できるので、また増産などにも容易に対応できるので、自由度の高い工場を得ることができる。
【００５０】
また、物流フロア２と作業者用通路６２とを別個に設けていることから、搬送車５と作業者との衝突を防ぐことができるし、また作業者による搬送容器Ｃや被処理物あるいは処理物への干渉を防止できる。更に、搬送車５に水平移動と昇降動作とを行わせていることから、各々の工程室２１には昇降装置が不要になり、そのため工場を安価に建設できる。更にまた、見学者用通路６３を工程室２１の側方位置に設けることができるので、例えば工程室２１の上方に設ける場合よりも例えば処理装置２７の動作などを確実に見学（点検）することができる。
【００５１】
更に、水平な物流フロア２において搬送車５により搬送容器Ｃを搬送していることから、例えば複数階層の工程室２１に沿って高さ方向に搬送室を設ける場合に比べて、当該物流フロア２内を例えば作業者が容易に清掃することができる。また、物流フロア２には複数の搬送車５を設けているので、例えば１台が故障した場合やメンテナンスを行う場合でも、当該搬送車５の受け持つ搬送を他の搬送車５が肩代わりすることができる。
【００５２】
また、上下の階層の物流フロア２、２間に亘って搬送容器Ｃを搬送する必要がある場合、または既述のように１ｔもの重量物を昇降させる必要のある場合には、スタッカークレーン１２により搬送容器Ｃを昇降させることができるので、階層構造体３を積層でき、工場の設置面積を抑えることができる。そのため、搬送車５では搬送が困難なあるいは搬送できない程度の重量の搬送容器Ｃであっても搬送できる。この時、スタッカークレーン１２の昇降室１３は複数階層の物流フロア２に面するように、つまり工場の外壁などに面するように自由に設置できるので、工場内のレイアウトに干渉しない。
【００５３】
尚、既述のように、搬送車５は搬送容器Ｃを縮径部において側方側から保持し、一方スタッカークレーン１２は下方側から搬送容器Ｃを保持するように構成されているので、既述の受け渡し部材１５を設けずに、これらの搬送車５とスタッカークレーン１２との間において搬送容器Ｃを直接受け渡すようにしても良い。また、搬送車５については、当該搬送車５上においてフォーク５ｂを進退させる機構を持たせても良いし、あるいは搬送車５上においてフォーク５ｂ（搬送容器Ｃ）の向きを調整できるようにしても良い。
【００５４】
また、既述のように、搬送車５は搬送容器Ｃを下面側から保持せずに縮径部を両側から保持しているので、物流フロア２の床面１１に対して搬送容器Ｃを直接受け渡しできる。従って、図２３（ａ）に示すように、例えば処理が終了した搬送容器Ｃや、処理の途中で一時的に保管する搬送容器Ｃあるいは空になった搬送容器Ｃを物流フロア２における搬送車５の動作に干渉しない位置に載置しても良い。このように物流フロア２をいわば倉庫（載置領域）として用いることで、倉庫用のスペースを別途設けることなく搬送容器Ｃを安価に保管できる。更に、図２３（ｂ）に示すように、物流フロア２に棚７１を設けて、この棚７１を倉庫として用いても良い。
【００５５】
また、図２４に示すように、受け渡し口２２の下方位置の物流フロア２において、当該受け渡し口２２を介して搬送容器Ｃを受け渡すときに搬送車５が移動（進退）する領域を周方向に亘って囲むように、当該物流フロア２の天井面と床面１１とを接続する区画室７２を設けても良い。この場合には、区画室７２の内部領域はいわばコンタミを抑えるためのエアロック室をなし、物流フロア２と工程室２１との間の雰囲気が区画されることになる。この図２４中７３は、搬送車５が区画室７２内に出入りする時に開閉されるドアなどの開閉扉であり、搬送車５が区画室７２内に出入りしないときには気密に閉じられている。この時、例えば工程室２１内に受け渡し口２２を開閉する開閉部材を設けて、例えば搬送容器Ｃが受け渡される時以外は工程室２１内を気密に閉じても良い。
【００５６】
また、工程室２１内にエアロック室を設けるようにしても良い。この場合には、工程室２１内には、図２５に示すように、受け渡し口２２を介して搬送車５により搬送容器Ｃが載置されると共に搬送容器Ｃを水平搬送するコンベア８１と、このコンベア８１により工程室２１の内部に搬送される搬送容器Ｃを受け取るコンベア８２と、が設けられることになり、またコンベア８１、８２間には図示しないドアが設けられた区画壁８３が配置される。そして、搬送容器Ｃは、搬送車５により受け渡し口２２を介してコンベア８１に載置されると、区画壁８３の図示しないドアが開放されてコンベア８２へと搬送され、その後区画壁８３が閉じられることになる。この場合においても、受け渡し口２２に開閉部材を設けても良い。
【００５７】
また、上記の例においては、２つの隣接する工程室２１ａ、２１ｂ間で受け渡し口２２を共有する例について説明したが、図２６に示すように、隣接する３つの工程室２１の中央の工程室２１ａに受け渡し口２２を形成し、この受け渡し口２２を当該工程室２１ａに隣接する工程室２１ｂ、２１ｃで共有しても良い。この時、例えば受け渡し口２２と工程室２１ｃ（２１ｂ）の搬入出口２４とが離れている場合には、受け渡し口２２と当該搬入出口２４との間にコンベア９１を設けても良い。更に、図２７（ａ）に示すように、コンベア９１を設けずに、工程室２１ｂ、２１ｃの搬入出口２４、２４に各々近接するように、工程室２１ａに２つの受け渡し口２２、２２を形成しても良いし、あるいは同図（ｂ）に示すように、工程室２１ｂ、２１ｃの各々の搬入出口２４、２４に近接するように大きく受け渡し口２２を形成しても良い。この場合には、例えば受け渡し口２２の上方領域を介して工程室２１ａと機械室６１との間において処理装置２７を搬送する時には、例えば受け渡し口２２を塞ぐように例えば金属製の図示しない運搬路が設けられ、処理装置２７はこの運搬路上を搬送されることになる。  
また、上記の例では未使用エリア３１を工程室２１に改造する例について説明したが、この工場において例えば工程室２１に代えて配置されている図示しない倉庫を工程室２１に改造する場合にも同様に工事が行われることになる。
【００５８】
更に、図２８に示すように、既述の打錠室２５が横並びに複数配置されている場合には、これらの打錠室２５の搬送口２８ａに対してスタッカークレーン１２が搬送容器Ｃを搬送できるように、昇降室１３及びレール４１をこれらの打錠室２５に沿って長く配置することが好ましい。また、スタッカークレーン１２に車輪４６を設けて水平移動できるように構成したが、搬送口１４、２８ａの位置が高さ方向に一列に揃うように形成されている場合には、スタッカークレーン１２に代えてバーチカルリフターやエレベーターなどの昇降機構を設けても良い。
【００５９】
更にまた、上下の物流フロア２、２間あるいは打錠室２５において搬送容器Ｃを搬送するためにスタッカークレーン１２を設けたが、物流フロア２、２間にて搬送容器Ｃを搬送しない場合には、また打錠室２５などのように１ｔもの重量物の昇降を行わない場合には、このスタッカークレーン１２を設けなくても良い。また、階層構造体３を複数階層例えば２層に亘って積層したが、図２９に示すように１層であっても良い。また、打錠室２５では投入区域２５ａに対してはスタッカークレーン１２により搬送容器Ｃを受け渡し、処理区域２５ｂに対しては搬送車５により搬送容器Ｃの受け渡しを行ったが、処理区域２５ｂと昇降室１３との間の壁面に搬送口を形成し、処理区域２５ｂとスタッカークレーン１２との間において搬送容器Ｃを受け渡すようにしても良い。
【００６０】
更に、打錠室２２といった１ｔもの重量物を昇降させる場合にスタッカークレーン１２を用いたが、例えば処理装置２７において搬送容器Ｃが載置される高さ位置が物流フロア２の床面１１よりも例えば１０ｍ程度以上高いために搬送車５では搬送容器Ｃを昇降させることが困難な場合にスタッカークレーン１２を用いても良い。更にまた、受け渡し口２２を共有する工程室２１ａ、２１ｂをこの処理フロア１内に配置したが、いずれの工程室２１についても受け渡し口２２を形成しても良い。その場合には、未使用エリア３１については隣接する工程室２１と受け渡し口２２と共用しても良いし、あるいはこの未使用エリア３１に予め受け渡し口２２を形成しても良い。また、隣接する工程室２１ａ、２１ｂにおいて受け渡し口２２を共用する場合には、工程室２１ａにおける受け渡し口２２をこれらの工程室２１ａ、２１ｂの間の壁面に沿って長く形成しても良い。このように受け渡し口２２を形成することにより、搬入出口２４を形成する位置について、高さ位置だけでなく横方向についても自由度が高くなる。
【００６１】
上記の例では固形製剤を製造する医薬品工場を例に本発明について説明したが、例えばこのような固形製剤以外にも、被処理物に対して処理を行う工程室２１が複数設けられた処理設備例えば食品、化学品を製造する工場などに本発明を適用しても良い。
【図面の簡単な説明】
【００６２】
【図１】本発明の生産工場の要部を概略的に示す縦断面図である。
【図２】本発明の生産工場の一例を示す斜視図である。
【図３】上記の工場を示す縦断面図である。
【図４】上記の工場を示す縦断面図である。
【図５】上記の工場を示す平面図である。
【図６】上記の工場を示す平面図である。
【図７】上記の工場において被処理物が収納される搬送容器の一例を示す斜視図である。
【図８】上記の搬送容器が受け渡される受け渡し部材の一例を示す斜視図である。
【図９】上記の工場で用いられるスタッカークレーンを示す斜視図である。
【図１０】上記の工場における工程室の一例を示す縦断面図である。
【図１１】上記の工場の作用の一例を示す側面図である。
【図１２】上記の工場の作用の一例を示す平面図である。
【図１３】上記の工場の作用の一例を示す側面図である。
【図１４】上記の工場の作用の一例を示す側面図である。
【図１５】上記の工場の作用の一例を示す側面図である。
【図１６】上記の工場の作用の一例を示す側面図である。
【図１７】上記の工場の作用の一例を示す側面図である。
【図１８】上記の工場の作用の一例を示す平面図である。
【図１９】上記の工場の作用の一例を示す側面図である。
【図２０】上記の工場の作用の一例を示す平面図である。
【図２１】上記の工場の作用の一例を示す側面図である。
【図２２】上記の工場の作用の一例を示す側面図である。
【図２３】上記の工場の他の例を示す側面図である。
【図２４】上記の工場の他の例を示す側面図である。
【図２５】上記の工場の他の例を示す平面図である。
【図２６】上記の工場の他の例を示す平面図である。
【図２７】上記の工場の他の例を示す平面図である。
【図２８】上記の工場の他の例を示す平面図である。
【図２９】上記の工場の他の例を示す平面図である。
【図３０】従来の工場の一例を示す平面図である。
【符号の説明】
【００６３】
Ｃ  搬送容器
１  処理フロア
２  物流フロア
３  階層構造体
５  搬送車
１２  スタッカークレーン
１４  搬送口
２１  工程室
２２  受け渡し口
２７  処理装置
３１  未使用エリア
３５  通気路
６１  機械室
６２  作業者用通路
６３  見学者用通路
【図１】
2010143716.tif 000003
【図２】
2010143716.tif 000004
【図３】
2010143716.tif 000005
【図４】
2010143716.tif 000006
【図５】
2010143716.tif 000007
【図６】
2010143716.tif 000008
【図７】
2010143716.tif 000009
【図８】
2010143716.tif 000010
【図９】
2010143716.tif 000011
【図１０】
2010143716.tif 000012
【図１１】
2010143716.tif 000013
【図１２】
2010143716.tif 000014
【図１３】
2010143716.tif 000015
【図１４】
2010143716.tif 000016
【図１５】
2010143716.tif 000017
【図１６】
2010143716.tif 000018
【図１７】
2010143716.tif 000019
【図１８】
2010143716.tif 000020
【図１９】
2010143716.tif 000021
【図２０】
2010143716.tif 000022
【図２１】
2010143716.tif 000023
【図２２】
2010143716.tif 000024
【図２３】
2010143716.tif 000025
【図２４】
2010143716.tif 000026
【図２５】
2010143716.tif 000027
【図２６】
2010143716.tif 000028
【図２７】
2010143716.tif 000029
【図２８】
2010143716.tif 000030
【図２９】
2010143716.tif 000031
【図３０】
2010143716.tif 000032
【手続補正書】
【提出日】平成21年1月6日(2009.1.6)
【手続補正１】
【補正対象書類名】図面
【補正対象項目名】全図
【補正方法】変更
【補正の内容】
【図１】
2010143716.tif 000033
【図２】
2010143716.tif 000034
【図３】
2010143716.tif 000035
【図４】
2010143716.tif 000036
【図５】
2010143716.tif 000037
【図６】
2010143716.tif 000038
【図７】
2010143716.tif 000039
【図８】
2010143716.tif 000040
【図９】
2010143716.tif 000041
【図１０】
2010143716.tif 000042
【図１１】
2010143716.tif 000043
【図１２】
2010143716.tif 000044
【図１３】
2010143716.tif 000045
【図１４】
2010143716.tif 000046
【図１５】
2010143716.tif 000047
【図１６】
2010143716.tif 000048
【図１７】
2010143716.tif 000049
【図１８】
2010143716.tif 000050
【図１９】
2010143716.tif 000051
【図２０】
2010143716.tif 000052
【図２１】
2010143716.tif 000053
【図２２】
2010143716.tif 000054
【図２３】
2010143716.tif 000055
【図２４】
2010143716.tif 000056
【図２５】
2010143716.tif 000057
【図２６】
2010143716.tif 000058
【図２７】
2010143716.tif 000059
【図２８】
2010143716.tif 000060
【図２９】
2010143716.tif 000061
【図３０】
2010143716.tif 000062